(57)【要約】【課題】  データの復号誤りを発生させることなく、プリコード後の信号にデータを挿入することができる記録装置を提供する。【解決手段】  本発明に係る記録装置は、光磁気ディスク（３）に適合するようにプリデコードした記録データを所定長のデータブロックに分割して当該データブロックの前後に固有パターンを付加する機能（２０２、２０６、２０７）を有する。当該固有パターンは、各データブロックの端部において最尤復号の復号誤りを低減するパターンを用いる。これにより、プリデコード後にデータを挿入した場合であっても、プリデコード後の信号の符号相関が分割位置で維持することが可能となる。【選択図】        図２
2005243241.tif 000002
【特許請求の範囲】
【請求項１】
符号間の干渉を利用してデータを再生する方式の記録媒体（３）に対しデータを記録する記録装置であって、
入力したデータを前記記録媒体（３）に適合するようにプリロードするプリコード手段と（２０２）、
前記プリコードしたデータを複数のデータブロックにブロック分割して、前記複数のデータブロックのそれぞれの端部に、対応する固有パターンを付加するフォーマット手段（２０６）と、
前記複数のデータブロックのそれぞれに対し、前記対応する固有パターンを決定するパターン決定手段（２０７）と、
前記フォーマット手段（２０６）の出力を前記記録媒体に記録する記録手段（４、５）とを備え、
前記パターン決定手段（２０７）は、前記複数のデータブロックのそれぞれの端部におけるデータの復号誤りを低減するように前記対応する固有パターンを決定する、記録装置。
【請求項２】
前記パターン決定手段（２０７）は、前記複数のデータブロックのそれぞれ毎に、前記対応する固有パターンとして、予め定められた少なくとも２つ以上の固有パターンのうちから１つを選択する、請求項１に記載の記録装置。
【請求項３】
前記対応する固有パターンは、対応するデータブロックに隣接するデータブロックに含まれるデータのうち、前記ブロック分割前に、前記対応するデータブロックの端部に隣接しているデータで構成される、請求項１または２に記載の記録装置。
【請求項４】
前記対応する固有パターンは、対応するデータブロックの端部のデータと組合されることによりトレースバックを発生させる、請求項１または２に記載の記録装置。
【請求項５】
前記複数のデータブロックのそれぞれの端部とは、前記複数のデータブロックのそれぞれの前端であって、
前記パターン決定手段は、前記対応する固有パターンを、対応するデータブロックの直前に位置するデータブロックの最後部のデータに応じて決定する、請求項１または２に記載の記録装置。
【請求項６】
前記複数のデータブロックのそれぞれの端部とは、前記複数のデータブロックのそれぞれの後端であって、
前記パターン決定手段は、前記対応する固有パターンを、前記対応するデータブロックの直後に位置するデータブロックの最前部のデータに応じて決定する、請求項１または２に記載の記録装置。
【請求項７】
前記複数のデータブロックのそれぞれの端部とは、前記複数のデータブロックのそれぞれの後端であって、
前記対応する固有パターンの最前部のデータは、前記対応するデータブロックの最後部のデータと一致する、請求項４に記載の記録装置。
【請求項８】
前記複数のデータブロックのそれぞれの端部とは、前記複数のデータブロックのそれぞれの後端であって、
前記対応する固有パターンは、前記対応するデータブロックの最後部のデータが“１”のときは、“１１００”、前記対応するデータブロックの最後部のデータが“０”のときは、“００１１”とする、請求項４に記載の記録装置。
【請求項９】
前記対応する固有パターンは、前記対応するデータブロックの直前に位置するデータブロックの最後部のデータが“１”のときは、“００１１”、前記対応するデータブロックの直前に位置するデータブロックの最後部のデータが“０”のときは、“１１００”とする、請求項５に記載の記録装置。
【請求項１０】
前記対応する固有パターンは、前記対応するデータブロックの直後に位置するデータブロックの最前部のデータが“１”のときは、“１１００”、前記対応するデータブロックの直後に位置するデータブロックの最前部のデータが“０”のときは、“００１１”とする、請求項６に記載の記録装置。
【請求項１１】
前記複数のデータブロックのそれぞれの端部とは、前記複数のデータブロックのそれぞれの後端であって、
前記対応する固有パターンの最前部のデータは、前記対応するデータブロックの最後部のデータが少なくとも２回以上連続する、請求項４に記載の記録装置。
【請求項１２】
前記パターン決定手段（２０７）は、第１パターンと前記第１パターンを反転した第２パターンとのいずれか一方を前記対応する固有パターンとする、請求項１に記載の記録装置。
【請求項１３】
前記記録媒体（３）は、所定の情報が予め物理的形状として記録されており、
前記フォーマット手段（２０６）は、前記プリデコードしたデータを前記記録媒体（３）における前記物理的形状を除く記録領域に対して記録できるように、前記ブロック分割を行なう、請求項１に記載の記録装置。
【発明の詳細な説明】
【技術分野】
【０００１】
この発明は、光磁気記録媒体にデータを記録する記録装置に関する。
【背景技術】
【０００２】
光磁気記録再生系は、全体を基底帯域伝送路と見た場合、ガウス型の低域通過フィルタと見なすことができる。したがって、記録密度を上げると、隣接する記録領域の最小信号間で符号間干渉が発生し、再生信号波形が劣化する。
【０００３】
このような符号間干渉を防止する方式の１つとして、光磁気記録再生系の後段に等化器を入れて伝送路全体の周波数特性をナイキスト特性に補正する方式が知られている。しかし、この方式では伝送帯域が限定されるため、高密度の光磁気ディスクの記録再生に適用することは困難である。
【０００４】
そこで、符号間干渉をなくすのではなく、符号間干渉も持たせて信号を伝送するＰＲ（Partial Response：パーシャル・レスポンス）方式が高密度の光磁気ディスクの記録再生用に採用されている。
【０００５】
ＰＲ方式を光磁気ディスクに適用した場合の伝送系について図９を用いて説明する。図９に示されるように、プリコーダ７０１、光ピックアップ７０２と磁気ヘッド７０３とにより信号が記録再生される光磁気ディスク７０４、および等化器７０５により伝送系が形成される。プリコーダ７０１では、ＰＲ方式で伝送する符号を復号する際の誤り伝搬が除去される。等化器７０５では、光磁気ディスク７０４から再生したＲＦ信号の波形等化処理が行なわれる。これにより、伝送系として既知の相関を持つ符号間干渉が生起される。
【０００６】
多値判別部７０６では、最尤復号により信号の最も確からしい状態が推定される。より具体的には、ＰＲ方式の持つ振幅相関を利用して、識別時刻以前（または識別時刻前後）の復号信号の状態を参照して、統計的に最も確からしい値を当該識別時刻における信号の状態と推定する。
【０００７】
ところで、ＰＲ方式の信号伝送において、プリコード後の信号を所定ビット数のブロックに分割し、各ブロックの前後にドライブシステムの固有パターン等を挿入したい場合がある。たとえば、光磁気ディスク７０４に予めクロック成分を持たせ、当該クロック成分の位置を外してデータを記録する場合がある。
【０００８】
しかし、プリコード後にデータを挿入すると、プリコード後の信号の符号相関がブロック分割位置で維持できなくなる。これでは、識別時刻前後の信号の相関を利用する最尤復号において、復号誤りが発生してしまう。
【発明の開示】
【発明が解決しようとする課題】
【０００９】
この発明の目的は、データの復号誤りを発生させることなく、プリコード後の信号にデータを挿入することができる記録装置を提供することである。
【課題を解決するための手段】
【００１０】
この発明の１つの局面に従うと、符号間干渉を利用してデータを再生する方式の記録媒体に対しデータを記録する記録装置であって、入力したデータを記録媒体に適合するようにプリコードするプリコード手段と、プリコードしたデータを複数のデータブロックにブロック分割して、複数のデータブロックのそれぞれの端部に、対応する固有パターンを付加するフォーマット手段と、複数のデータブロックのそれぞれに対し、対応する固有パターンを決定するパターン決定手段と、フォーマット手段の出力を記録媒体に記録する記録手段とを備え、パターン決定手段は、複数のデータブロックのそれぞれの端部におけるデータの復号誤りを低減するように対応する固有パターンを決定する。好ましくは、パターン決定手段は、複数のデータブロックのそれぞれ毎に、対応する固有パターンとして、予め定められた少なくとも２つ以上の固有パターンのうちから１つを選択する。好ましくは、対応する固有パターンは、対応するデータブロックに隣接するデータブロックに含まれるデータのうち、ブロック分割前に、前記対応するデータブロックの端部に隣接しているデータで構成される。
【００１１】
したがって、上記記録装置によれば、プリコード後のデータに対して、固有パターンを挿入して記録し、記録したデータを読出して波形等化して最尤復号を行なった場合であっても、ブロック分割位置での符号相関を維持することができる。したがって、ブロック分割位置での最尤復号の復号誤りの発生を防止することが可能となる。
【００１２】
この発明のもう一つの局面に従うと、符号間干渉を利用してデータを再生する方式の記録媒体に対しデータを記録する記録装置であって、入力したデータを記録媒体に適合するようにプリコードするプリコード手段と、プリコードしたデータを複数のデータブロックにブロック分割して、複数のデータブロックのそれぞれの前端に、対応する第１固有パターンを、複数のデータブロックのそれぞれの後端に、対応する第２固有パターンを付加するフォーマット手段と、複数のデータブロックのそれぞれに対して、対応する第１固有パターンおよび対応する第２固有パターンを決定するパターン決定手段と、フォーマット手段の出力を記録媒体に記録する記録手段とを備え、パターン決定手段は、対応する第１固有パターンを、対応するデータブロックの直前に位置するデータブロックの最後部のデータに応じて決定し、対応する第２固有パターンを、対応するデータブロックの最後部のデータに応じて決定する。好ましくは、記対応する第２固有パターンは、対応するデータブロックの最後部のデータと組合わせされることによりトレースバックを発生させる。好ましくは、対応する第１固有パターンの最後部のデータは、対応するデータブロックの直前に位置するデータブロックの最後部のデータと一致する。
【００１３】
したがって、上記記録装置によれば、プリコード後のデータに対して、固有パターンを挿入して記録し、記録したデータを読出して波形等化して最尤復号を行なった場合であっても、ブロック分割位置での符号相関を維持することができる。このため、ブロック分割位置での最尤復号の復号誤りの発生を防止することが可能となる。また、トレースバックを発生させる固有パターンを挿入した場合には、各データブロックごとに最尤復号を完結させることが可能となる。
【００１４】
この発明の上記および他の目的、特徴、局面および利点は、添付の図面と関連して理解されるこの発明に関する次の詳細から明らかとなるであろう。
【発明を実施するための最良の形態】
【００１５】
（第１の実施の形態）
図１を参照して、第１の実施の形態による記録再生装置は、誤り訂正符号部１および変調部２を含む記録系１０と、光磁気ディスク３に対して配置される光ピックアップ４および磁気ヘッド５と、復調部６および誤り訂正復号部７を含む再生系２０とを備える。
【００１６】
誤り訂正符号部１は、入力したユーザデータに誤り訂正符号を付加する。誤り訂正符号部１の出力は、変調部２においてデジタル変調される。デジタル変調後のデータは、光ピックアップ４と磁気ヘッド５とを用いて光磁気ディスク３に記録される。
【００１７】
光磁気ディスク３に記録された記録データは、光ピックアップ４を用いて読出され、復調部６においてデジタル復調される。デジタル復調されたデータは、誤り訂正復号部７において誤り訂正され、外部へ出力される。
【００１８】
変調部２は、図２に示されるように、変調ユニットＵ０〜Ｕ１５と、変調ユニットＵ０〜Ｕ１５により変調されたデータのＤＳＶ（digital sum value）を比較して、ＤＣ成分が最も少ないデータを判別する判別部２０５と、判別部２０５の判別結果に基づいて、変調ユニットＵ０〜Ｕ１５のうちのいずれか１つから出力されるディジタル変調データを選択する選択部２０４と、選択されたデータに対して記録再生装置に固有なパターンを付加するフォーマッタ２０６と、選択されたデータに基づいてフォーマッタ２０６を制御する予測部２０７とを備える。
【００１９】
変調ユニットＵ０〜Ｕ１５はそれぞれ、スクランブル器２０１と、プリコーダ２０２と、ＤＳＶ算出部２０３とを含む。スクランブル器２０１はそれぞれ、互いに異なるスクランブルキーを用いてデータをスクランブルするとともに当該スクランブルキーをデータに付加する。プリコーダ２０２は、スクランブル後のデータに対して誤り伝搬を防ぐためのプリコードを行なう。ＤＳＶ算出部２０３は、プリコード後のデータのＤＳＶを算出する。
【００２０】
誤り訂正符号部１から出力されたデータは、変調ユニットＵ０〜Ｕ１５において１６種類のプリコードデータに変換される。判別部２０５は、変調ユニットＵ０〜Ｕ１５のそれぞれのＤＳＶ算出部２０３の出力を受けて上述した判別を行なう。そして、選択部２０４において、１６種類のプリコードデータの中からＤＣ成分が最小のプリコードデータが選択される。フォーマッタ２０６は、当該選択されたデータをデータブロックに分割（ブロック分割と称す）し、予測部２０７により決定される固有パターンを各データブロックに付加する。
【００２１】
光磁気ディスク３の記憶領域は、ユーザデータを記録するためのユーザデータ領域と、記録再生装置の固有のデータが記録されるシステムデータ領域とで構成される。入力したユーザデータは、図３に示されるように、フォーマッタ２０６において５１２ＤＣＢ（データ・チャンネル・ビット）単位のデータブロックに分割される。各データブロックを構成するデータをデータＤ（０）〜Ｄ（５１２）と記す。
【００２２】
データブロックの前後には、プリライトフィールド、ポストライトフィールドおよびＦＣＭ（Fine Clock Mark：ファインクロックマーク）フィールドが付加される。プリライトフィールドおよびポストライトフィールドは、ともに４ＤＣＢ単位、ＦＣＭフィールドは、１２ＤＣＢ単位とする。
【００２３】
データブロック、プリライトフィールド、ポストライトフィールドおよびＦＭＣフィールドは、データセグメントを構成する。図３においては、データセグメントＮ〜Ｎ＋３が代表的に記載されている。以下、データセグメントＫ（ただし、Ｋは０以上の整数）を構成するデータブロックをデータブロックＫと記す。
【００２４】
光磁気ディスク３のトラック上には、製造時に、クロック生成用のマーク（ＦＣＭ：ファインクロックマーク）が物理的形状として予め形成されている。ＦＣＭフィールドは、当該ＦＣＭが形成される領域に対応させる。プリライトフィールドおよびポストライトフィールドには、予測部２０７の指示に基づき、後述する固定パターンがデータとして記録される。なお、プリライトフィールドおよびポストライトフィールドは、データブロックの記録位置が通常より若干ずれた場合にデータブロックの一部（前部または後部）がＦＣＭに掛からないように、緩衝用として配される。すなわち、プリライトフィールドおよびポストライトフィールドは、ＦＣＭとデータとを繋ぐための緩衝用データとして機能する。こうしてフォーマットされたユーザデータが、光磁気ディスク３に記録される。
【００２５】
図１に示す復調部６は、図４に示されるように、光ピックアップ４により再生されたＲＦ信号をデジタル変換するＡ／Ｄ変換器６０１と、再生されたＲＦ信号を所望の特性に波形等化する等化器６０２と、等化器６０２の出力の振幅レベルに応じて２進データを復調する最尤復号を行なう多値判別部６０３と、ユーザデータを抽出するアンフォーマッタ６０４と、抽出されたユーザデータをスクランブルヘッダ情報に基づいてデスクランブルするデスクランブル器６０５とを含む。
【００２６】
ここで、第１の実施の形態における予測部２０７およびフォーマッタ２０６によるフォーマット処理について、データブロックＮ、Ｎ＋１を一例に説明する。第１の実施の形態においては、データブロックＮ＋１対応（データセグメントＮ＋１）のプリライトフィールドには、データセグメントＮのデータブロックＮに含まれる最終のデータＤ（５１１）により決定される固有パターンを挿入する。データブロックＮ対応（データセグメントＮ）のポストライトフィールドには、データセグメントＮ＋１のデータブロックＮ＋１に含まれる最初のデータＤ（０）により決定される固有パターンを挿入する。
【００２７】
より具体的には、図５Ａおよび５Ｂのテーブル（変換則）に示されるように、プリライトフィールドに対応する固有パターンを“１１００”、“００１１”とし、データブロックＮにおける最後のデータＤ（５１１）が“０”であれば “１１００”を、最終のデータＤ（５１１）が“１”であれば“００１１”を、データブロックＮ＋１対応のプリライトフィールドに挿入する。
【００２８】
ポストライトフィールドに対応する固有パターンを“００１１”、“１１００”とし、データブロックＮ＋１における最初のデータＤ（０）が“０”であれば、“００１１”を、最初のデータＤ（０）が“１”であれば、“１１００”をデータブロックＮ対応のポストライトフィールドに挿入する。
【００２９】
予測部２０７は、図５Ａ〜５Ｂのテーブル（変換則）を参照して、固有パターンを決定する。フォーマッタ２０６は、予測部２０７の指示に基づき、データブロックの前後に位置するプリライトフィールドおよびポストライトフィールドに固有パターンを挿入する。
【００３０】
このように、ブロック分割により得られるブロックデータの前後（ブロック分割位置）に、隣接するデータブロックの端部のデータにより決定される固有パターンを挿入することにより、ブロック分割位置Ｄ（０）、Ｄ（５１１）での符号相関が維持される。
【００３１】
したがって、多値判別部６０３での最尤復号における復号誤りを発生させることなく、プリコード後のデータに特定の固有パターンを挿入することが可能となる。
【００３２】
なお、本発明は、上記したデータフォーマットによらず、プリコード後のデータを所定長のデータブロックにブロック分割し、各データブロックに特定のパターンを挿入するデータフォーマットを有するストリームに対して有効である。
【００３３】
なお、データブロックの前後のみならず、いずれか一方に上述した変換則に従って固有パターンを挿入してもよい。
【００３４】
（第２の実施の形態）
第２の実施の形態におけるデータフォーマットついて説明する。光磁気ディスク３には、図６に示されるグルーブ（溝）が渦巻状に形成されている。グルーブには、所定間隔で凸部５５が、隣接するグルーブ間に位置するランドには、所定間隔で凹部５０が形成されている。凹部５０および凸部５５は、クロックマークとして、製造時に形成されている。ユーザデータは、この凹部５０および凸部５５を除くグルーブとランドとに記録される。
【００３５】
フォーマッタ２０６は、図７に示されるように、データブロック間に非記録領域（Reserve）を、各データブロックの直前にプリライトフィールドを、各データブロックの直後にポストライトフィールドを付加する。この非記録領域（Reserve）は、上述した凹部５０および凸部５５に対応する。
【００３６】
第２の実施の形態においては、データは、プリコーダ２０２での拘束長Ｌ＋１（ただし、Ｌは自然数）のプリコード後、所定長のデータブロックにブロック分割されるものとする。
【００３７】
予測部２０７は、プリライトフィールドおよびポストライトフィールドに特定の固有パターンを挿入するための制御を行なう。この際、固有パターン長はＬ以上であり、ポストライトパターン長とプリライトパターン長との関係は、特に限定されるものではなく同じであっても同じでなくてもよい。
【００３８】
ここで、第２の実施の形態における予測部２０７およびフォーマッタ２０６によるフォーマット処理について、データブロックＮ、Ｎ＋１を一例に説明する。第２の実施の形態においては、データブロックＮ対応のポストライトフィールドには、データブロックＮ＋１の最前部のデータが連続して繰返されるパターンで始まる固有パターンを挿入する。なお、繰返し回数は、Ｌ＋１個以上である。データブロックＮ＋1対応のプリライトフィールドには、データブロックＮの最後部のデータで終了する固有パターンを挿入する。
【００３９】
たとえば、ＰＲ（１、１）方式においては、データブロックＮ＋１の最初のデータが“０”であれば、データブロックＮ対応のポストライトフィールドに挿入する固有パターンの前部は、“０”から始まるパターンとする。データブロックＮの最後のデータが“０”であれば、データブロックＮ＋１対応のプリライトフィールドに挿入する固有パターンの後部は、“０”で終了するパターンとする。
【００４０】
すなわち、予測部２０７は、プリコード処理に応じて、ブロック分割位置での符号相関を維持する固有パターンを指定する。フォーマッタ２０６は、これに基づきデータブロックの前後に固有パターンを挿入する。これにより、多値判別部６０３での最尤復号における復号誤りを発生させることなく、プリコード後のデータに特定のデータを挿入することが可能となる。
【００４１】
なお、データブロックの前後のみならず、いずれか一方に上述した変換則に従って固有パターンを挿入してもよい。
【００４２】
（第３の実施の形態）
上述した第１の実施の形態および第２の実施の形態では、光磁気ディスク３に記録したデータを再生する伝送系の伝達係数Ｈ（Ｄ）が、式（１）〜（２）を満たすように等化器６０２において波形等化を行なっている。このような伝達係数Ｈ（Ｄ）で表わされる信号伝送方式をＰＲ（１，１）方式と称す。
【００４３】
Ｈ（Ｄ）＝１＋Ｄ  …（１）
Ｄ＝ｅjwT          …（２）
なお、式（１）〜（２）において、記号Ｔは、ビット周期を、記号ｗは、周波数を、記号Ｄは、ビット周期Ｔの遅延演算素子をそれぞれ表わしている。
【００４４】
これに対して、伝送系の伝達係数Ｈ（Ｄ）が、式（３）〜（４）を満たすように等化器６０２において波形等化する場合もある。
【００４５】
Ｈ（Ｄ）＝（１＋Ｄ）2 …（３）
Ｄ＝ｅjwT              …（４）
このような伝達係数Ｈ（Ｄ）で表わされる信号伝送方式をＰＲ（１，２，１）方式と称す。第３の実施の形態においては、ＰＲ（１，２，１）方式の信号伝送を対象とする。なお、データフォーマットは、図３で説明したとおりである。
【００４６】
ここで、第３の実施の形態における予測部２０７およびフォーマッタ２０６によるフォーマット処理について、データブロックＮ、Ｎ＋１を一例に説明する。第３の実施の形態においては、データブロックＮ＋１対応（データセグメントＮ＋１）のプリライトフィールドには、データセグメントＮのデータブロックＮに含まれる最終のデータＤ（５１１）に応じて決定される固有パターンを挿入する。これは、第１の実施の形態において説明した変換則と同様に、ＰＲ方式の符号相関を維持するためである。
【００４７】
一方、データブロックＮ対応（データセグメントＮ）のポストライトフィールドには、データセグメントＮのデータブロックＮに含まれる最終のデータＤ（５１１）に応じて決定される固有パターンを挿入する。これは、ポストライトフィールドとデータブロックとの境界においてトレースバックを発生させて、最尤復号の復号誤りを確実に防止するためである。
【００４８】
ＰＲ方式の信号伝送での最尤復号では、各時刻において各状態に入力するパスのうち、最も確からしパスが“生き残りパス”として選択される。このとき、特定のパターンが入力されると、“生き残りパス”とその根となる状態とが一意に決定できる（マージ）。この一意に決定された状態からパスを辿る（トレースバック）ことができため、特定のパターンが入力された以前のパスを決定することができる。したがって、データブロックの前後に特定のパターンを挿入した場合、挿入する以前のパスを、一意に決定することができることになる。
【００４９】
ＰＲ（１，２，１）方式の信号伝送における最尤復号では、信号“０００”または“１１１”が入力されるとトレースバックが発生する。このトレースバックをポストライトフィールド部分で発生させる。このために、データセグメントＮのポストライトフィールドに挿入する固有パターンを、データセグメントＮにおける最終のデータＤ（５１１）に応じて決定する。
【００５０】
より具体的には、図８Ａおよび８Ｂに示されるように、プリライトフィールドに対応する固有パターンを“１１００”、“００１１”とし、データブロックＮにおける最後のデータＤ（５１１）が“０”であれば “１１００”を、最後のデータＤ（５１１）が“１”であれば“００１１”を、データブロックＮ＋１対応のプリライトフィールドに記録する。これにより、ＰＲ方式における符号相関を維持する。
【００５１】
ポストライトフィールドに対応する固有パターンを“００１１”、“１１００”とし、データブロックＮにおける最後のデータＤ（５１１）が“０”であれば、“００１１”を、最後のデータＤ（５１１）が“１”であれば、“１１００”をデータブロックＮ対応のポストライトフィールドに記録する。これにより、最尤復号における復号誤りの発生を防止するとともに、トレースバックの発生によりデータブロック毎に最尤復号を完結されることが可能となる。
【００５２】
なお、データブロックの前後のみならず、いずれか一方に上述した変換則に従って固有パターンを挿入してもよい。
【００５３】
（第４の実施の形態）
第１の実施の形態の拡張として第２の実施の形態に示す構成が成立したのと同様に、上記第３の実施の形態の拡張として以下に示す第４の実施の形態の構成が可能となる。つまり、拘束長Ｌ＋１（Ｌは自然数）のプリコード後のデータを所定長のデータブロックにブロック分割するとともに、データブロック間に特定のパターンを挿入するデータフォーマットのストリームに対し、第３の実施の形態で説明した変換則を適用する。
【００５４】
図７で説明したように、フォーマッタ２０６は、データブロック間に非記録領域（Reserve）を、各データブロックの直前にプリライトフィールドを、各データブロックの直後にポストライトフィールドを付加する。予測部２０７は、プリライトフィールドおよびポストライトフィールドに特定の固有パターンを挿入するための制御を行なう。
【００５５】
ここで、第４の実施の形態における予測部２０７およびフォーマッタ２０６によるフォーマット処理について、データブロックＮ、Ｎ＋１を一例に説明する。第４の実施の形態においては、データブロックＮ＋１対応のプリライトフィールドには、直前に位置するデータブロックＮの最後部のデータに基づき決定される固有パターンを入れる。これにより、符号相関を維持する。
【００５６】
データブロックＮ対応のポストライトフィールドには、データブロックＮの最後部のデータが連続して繰返されるパターンを挿入する。なお、繰返し回数は、拘束長がＬ＋１であればＬ以上とする。これにより、ポストライトフィールドとデータブロックとの境界においてトレースバックが発生するため、最尤復号の復号誤りを確実に防止することができる。
【００５７】
ＰＲ（１，２，１）方式の場合について説明する。データブロックにおけるデータを表わすデータビット列をＤ（０）、…、Ｄ（Ｊ）とする（ただし、Ｊは自然数）。データブロックＮ＋１対応のプリライトフィールドに挿入される固有パターンは、データブロックＮにおける最終のビットおよび当該ビットの１ビット前のビット（すなわち、Ｄ（Ｊ）およびＤ（Ｊ−１））からなる２ビットを含む。また、データブロックＮ対応のポストライトフィールドに挿入される固有パターンは、当該データブロックＮの最終ビットおよび当該ビットの１ビット前のビット（すなわち、Ｄ（Ｊ）およびＤ（Ｊ−１））からなる２ビットを含む。
【００５８】
これにより、プリコード後のデータをブロックに分割して固有パターンを挿入してこれを記録し、記録したデータを読出して波形等化して最尤復号する場合であっても、各データブロック端部での最尤復号の復号誤りの発生を防止することができる。また、直前のデータブロックの最後部のデータをその直後のデータブロックの最前部に付加し、かつデータブロックの最後部に当該データブロックの最後部でトレースバックを発生させるデータを付加した場合には、各データブロックごとに最尤復号を完結させることが可能となる。
【００５９】
なお、データブロックの前後のみならず、いずれか一方に上述した変換則に従って固有パターンを挿入してもよい。
【００６０】
今回開示された実施の形態はすべての点で例示であって制限的なものではないと考えられるべきである。本発明の範囲は上記した実施の形態の説明ではなくて特許請求の範囲によって示され、特許請求の範囲と均等の意味および範囲内でのすべての変更が含まれることが意図される。
【図面の簡単な説明】
【００６１】
【図１】第１の実施の形態による記録再生装置の全体構成を説明するための概念図である。
【図２】変調部２の構成の一例を示す概念図である。
【図３】第１の実施の形態におけるユーザデータ領域のデータフォーマットを示す概念図である。
【図４】復調部６の構成の一例を示すブロック図である。
【図５】第１の実施の形態におけるデータフォーマット時に参照するテーブルを示す図である。
【図６】光磁気ディスク３の構造について説明するための概念図である。
【図７】第２の実施の形態におけるデータフォーマットを示す概念図である。
【図８】第３の実施の形態におけるデータフォーマット時に参照するテーブルを示す図である。
【図９】従来のＰＲ方式に対応する伝送系について説明するための概念図である。
【符号の説明】
【００６２】
１  訂正符号部、２  変調部、３，７０４  光磁気ディスク、４，７０２  光ピックアップ、５，７０３  磁気ヘッド、６  復調部、７  訂正復号部、１０  記録系、２０  再生系、５０  凹部、５５  凸部、２０１  スクランブル器、２０２，７０１  プリコーダ、２０３  算出部、２０４  選択部、２０５  判別部、２０６  フォーマッタ、２０７  予測部、６０１  変換器、６０２，７０５  等化器、６０３，７０６  多値判別部、６０４  アンフォーマッタ、６０５  デスクランブル器、Ｕ０〜Ｕ１５  変調ユニット。
【図１】
2005243241.tif 000003
【図２】
2005243241.tif 000004
【図３】
2005243241.tif 000005
【図４】
2005243241.tif 000006
【図５】
2005243241.tif 000007
【図６】
2005243241.tif 000008
【図７】
2005243241.tif 000009
【図８】
2005243241.tif 000010
【図９】
2005243241.tif 000011